(57)【要約】【課題】  本発明は、簡単な構造で飲み口を開口できるプラスチック容器蓋を提供する。【解決手段】  容器蓋１の天板１ｃの所定位置に一部が容器蓋１の外周縁１ｄに沿った飲み口１ｅを形成する押し下げ片１ｆが切断線１ｇにより形成され、切断線１ｇが間欠することで天板１ｃの一部と押し下げ片１ｆが連続するヒンジ部１ｎが形成され、押し下げ片１ｆの外周縁１ｄに沿った幅Ｗ１は、ヒンジ部１ｎの幅Ｗ２よりも大きく設定され、押し下げ片１ｆを下方に押し下げると、押し下げ片１ｆがヒンジ部１ｎを中心に下方に押し下げられて飲み口１ｅが開口することを特徴とする。【選択図】      図１
2020037427.tif 000002
【特許請求の範囲】
【請求項１】
容器の上縁が嵌入し得るリング状凹溝を外周下面に有するプラスチック製の容器蓋であって、
前記容器蓋の天板の所定位置に一部が前記容器蓋の外周縁に沿った飲み口を形成する押し下げ片が切断線により形成され、
前記切断線が間欠することで前記天板の一部と前記押し下げ片が連続するヒンジ部が形成され、
前記押し下げ片の前記外周縁に沿った幅は、前記ヒンジ部の幅よりも大きく設定され、
前記押し下げ片を下方に押し下げると、前記押し下げ片が前記ヒンジ部を中心に下方に押し下げられて前記飲み口が開口することを特徴とするプラスチック容器蓋。
【請求項２】
前記押し下げ片は、上方に突出する突起部を有し、前記突起部が押圧されることで前記押し下げ片が下方に押し下げられた姿勢が維持されることを特徴とする請求項１に記載のプラスチック容器蓋。
【請求項３】
前記切断線は、前記天板の天面よりも低くなった凹部に設けられたことを特徴とする請求項１または請求項２に記載のプラスチック容器蓋。
【請求項４】
前記天板の天面は、前記外周縁よりも中央部が低くなった凹面により構成されていることを特徴とする請求項１〜３のいずれか１項に記載のプラスチック容器蓋。
【請求項５】
前記天板の天面よりも低くなった第２の凹部が設けられ、使用者の鼻との干渉を回避することを特徴とする請求項１〜４のいずれか１項に記載のプラスチック容器蓋。
【請求項６】
前記ヒンジ部は、断面Ｕ字形状で可撓性を有して構成されていることを特徴とする請求項１〜５のいずれか１項に記載のプラスチック容器蓋。
【請求項７】
前記切断線の一部が途切れて前記天板の一部と前記押し下げ片が連続する連結部を有することを特徴とする請求項１〜６のいずれか１項に記載のプラスチック容器蓋。
【発明の詳細な説明】
【技術分野】
【０００１】
本発明は、容器の開口部に被覆されるプラスチック容器蓋に関するものである。
【背景技術】
【０００２】
従来、この種のプラスチック容器蓋としては、天板の中央部にストローを挿入し得るＸ字状の切欠きを設けた容器蓋や天板に設けた開閉部を外側に押し回してロックし得る容器蓋や特許文献１〜３に示されたように、キヤップに設けられた押圧部（切り刃）を押し下げることにより容器天面に設けられたシール蓋を切断して開口する容器蓋が提案されている。
【先行技術文献】
【特許文献】
【０００３】
【特許文献１】特開２０１３−２５２８９１号公報
【特許文献２】特開２００５−０２２７５７号公報
【特許文献３】特開２００４−３５９３１４号公報
【発明の概要】
【発明が解決しようとする課題】
【０００４】
しかしながら、海洋に廃棄されたプラスチック製のストローが海洋生物に被害を与える場合も想定されるためストローを使用しないで内容物を飲食できる容器蓋が要望されている。天板に設けた開閉部を外側に押し回してロックし得る容器蓋では、ストローを使用しないで内容物を飲食できるものの容器蓋の構造が複雑となるため製造コストがかかる。また、特許文献１〜３のように、キヤップに設けられた押圧部（切り刃）を押し下げることにより容器天面に設けられたシール蓋を切断して開口する容器蓋では、容器内に内容物を収容した状態で容器天面にシール蓋を設ける必要があるため工場でしか製造できず、コンビニエンスストア等の店頭で容器内に内容物を収容した状態で容器の開口部を被覆する容器蓋としては採用できなかった。
【０００５】
本発明は前記課題を解決するものであり、その目的とするところは、簡単な構造で飲み口を開口できるプラスチック容器蓋を提供するものである。
【課題を解決するための手段】
【０００６】
前記目的を達成するための本発明に係るプラスチック容器蓋の代表的な構成は、容器の上縁が嵌入し得るリング状凹溝を外周下面に有するプラスチック製の容器蓋であって、前記容器蓋の天板の所定位置に一部が前記容器蓋の外周縁に沿った飲み口を形成する押し下げ片が切断線により形成され、前記切断線が間欠することで前記天板の一部と前記押し下げ片が連続するヒンジ部が形成され、前記押し下げ片の前記外周縁に沿った幅は、前記ヒンジ部の幅よりも大きく設定され、前記押し下げ片を下方に押し下げると、前記押し下げ片が前記ヒンジ部を中心に下方に押し下げられて前記飲み口が開口することを特徴とする。
【発明の効果】
【０００７】
本発明によれば、簡単な構造で飲み口を開口できる。
【図面の簡単な説明】
【０００８】
【図１】（ａ）は、本発明に係るプラスチック容器蓋の第１実施形態の構成を示す平面図である。（ｂ）は、本発明に係るプラスチック容器蓋の第１実施形態の構成を示す断面図である。
【図２】（ａ）は、第１実施形態のプラスチック容器蓋の突起部を下方に押し下げて飲み口を開口する様子を示す断面図である。（ｂ）は、第１実施形態のプラスチック容器蓋の突起部を上唇で押して内容物を飲食する様子を示す断面図である。
【図３】（ａ）は、本発明に係るプラスチック容器蓋の第２実施形態の構成を示す平面図である。（ｂ）は、本発明に係るプラスチック容器蓋の第２実施形態の構成を示す断面図である。
【発明を実施するための形態】
【０００９】
図により本発明に係るプラスチック容器蓋の一実施形態を具体的に説明する。
【００１０】
〔第１実施形態〕
先ず、図１及び図２を用いて本発明に係るプラスチック容器蓋１の第１実施形態の構成について説明する。図１（ａ）は、本実施形態のプラスチック容器蓋１の構成を示す平面図である。図１（ｂ）は、本実施形態のプラスチック容器蓋１の構成を示す断面図である。図２（ａ）は、本実施形態のプラスチック容器蓋１の突起部１ｋを下方に押し下げて飲み口１ｅを開口する様子を示す断面図である。図２（ｂ）は、本実施形態のプラスチック容器蓋１の突起部１ｋを上唇３で押して内容物を飲食する様子を示す断面図である。
【００１１】
図１（ａ），（ｂ）に示すプラスチック容器蓋１は、ポリエチレンテレフタレート（ＰＥＴ；Polyethylene terephthalate）、ポリプロピレン（ＰＰ；Polypropylene）、ポリスチレン（ＰＳ；Polystyrene）、ポリ塩化ビニル（ＰＶＣ；Polyvinyl chloride）等のプラスチック製の容器蓋１である。
【００１２】
プラスチック容器蓋１の外周下面には、内容物を収容する容器２の上縁２ａが嵌入し得るリング状凹溝１ａが設けられている。リング状凹溝１ａを形成する外側の壁面には、内側に向かって突出する係合突起１ａ１が設けられており、容器２の上縁２ａの外周端部の下面に係合突起１ａ１が係合してプラスチック容器蓋１が容器２に取り付けられる。リング状凹溝１ａを形成する内側の壁面に連続してリング状立上部１ｂが設けられている。リング状立上部１ｂには、円盤状の天板１ｃが接続されている。リング状凹溝１ａの底面からリング状立上部１ｂの天面１ｃ１までの鉛直方向の高さは、約１３ｍｍに設定されている。
【００１３】
容器蓋１の天板１ｃの所定位置には、一部が容器蓋１の外周縁１ｄに沿った飲み口１ｅを形成する押し下げ片１ｆが切断線１ｇにより形成されている。本実施形態の切断線１ｇは、天板１ｃの天面１ｃ１よりも低くなった凹部１ｊの底面１ｊ１に設けられている。本実施形態の凹部１ｊは、天板１ｃの天面１ｃ１から４ｍｍ下方に突出している。外周縁１ｄ側の凹部１ｊの壁面と切断線１ｇとの最短距離は、２ｍｍ程度に設定されている。
【００１４】
切断線１ｇの両端部１ｇ１，１ｇ２は、外周縁１ｄから天板１ｃの中央部１ｃ３に向かって天板１ｃの中央部１ｃ３と外周縁１ｄとの中間部まで延長されている。
【００１５】
切断線１ｇが間欠することで天板１ｃの一部と押し下げ片１ｆとが連続するヒンジ部１ｈが形成される。切断線１ｇの両端部１ｇ１，１ｇ２の間にヒンジ部１ｈが形成される。ここで、押し下げ片１ｆの外周縁１ｄに沿った幅Ｗ１は、ヒンジ部１ｈの幅Ｗ２よりも大きく設定されている。本実施形態では、幅Ｗ１は、２８ｍｍに設定され、幅Ｗ２は、１０ｍｍに設定される。凹部１ｊの壁面形状は、飲み口１ｅに上唇３を当てて容器２を傾けて内容物を飲食する際に上唇３が自然に変形するときの上唇３の外形形状に対応している。このため上唇３が凹部１ｊの壁面に隙間なく接触できるため飲み口１ｅと上唇３との隙間から内容物が漏れ出すことが無い。
【００１６】
押し下げ片１ｆには、上方に突出する突起部１ｋが設けらている。図２（ａ）に示すように、突起部１ｋを下方に押して押し下げ片１ｆを下方に押し下げると、押し下げ片１ｆがヒンジ部１ｈを中心に下方に押し下げられて飲み口１ｅが開口する。このとき、押し下げ片１ｆは、突起部１ｋが押圧されることで、図１（ｂ）の破線で示すように、押し下げ片１ｆが下方に押し下げられた姿勢が維持される。尚、押し下げ片１ｆがヒンジ部１ｈを中心に下方に押し下げられて飲み口１ｅが開口する前の状態では、天板１ｃの切断線１ｇが形成された壁面と押し下げ片１ｆの壁面とが面接触しているため容器２内に収容されている内容物が切断線１ｇから漏れ出すことは無い。
【００１７】
天板１ｃの天面１ｃ１は、外周縁１ｄよりも中央部１ｃ３が低くなった凹面１ｃ２により構成されている。これにより飲み口１ｅに上唇３を当てて容器２を傾けて内容物を飲食する際に使用者の鼻４が天板１ｃに干渉することを回避することができる。
【００１８】
また、容器２を傾けて内容物を飲食する際に、図２（ｂ）に示すように、突起部１ｋを上唇３で押すことによりヒンジ部１ｈを中心に押し下げ片１ｆを回動して開口を大きく開くことができ、内容物に氷の塊や食材が存在する場合でも大きく開いた開口から内容物を残さず飲食することが容易である。
【００１９】
天板１ｃの中央部１ｃ３に対して押し下げ片１ｆとは反対側には、天板１ｃの天面１ｃ１よりも低くなった第２の凹部１ｍが設けられている。これにより使用者の鼻４との干渉をより確実に回避することができる。第２の凹部１ｍの底面１ｍ１には、天板１ｃを貫通する圧力調整孔１ｍ２が設けられている。容器２内に内容物を収容した状態で容器２の上縁２ａに容器蓋１のリング状凹溝１ａを嵌合する際に容器２内の空気が圧力調整孔１ｍ２から排気されることにより容器２に対する容器蓋１の装着が容易となる。また、飲み口１ｅから容器２内の内容物を吸引する際に圧力調整孔１ｍ２から外気が吸入されるため内容物の吸引が容易となる。
【００２０】
尚、切断線１ｇの一部（例えば、押し下げ片１ｆの外周縁１ｄに沿った辺の角部）が途切れて天板１ｃの一部と押し下げ片１ｆが連続する連結部を有する構成でも良い。この場合には、突起部１ｋを下方に押して押し下げ片１ｆを下方に押し下げるとき、前記連結部が切断されて押し下げ片１ｆを下方に押し下げることができる。
【００２１】
〔第２実施形態〕
次に、図３を用いて本発明に係るプラスチック容器蓋の第２実施形態の構成について説明する。尚、前記第１実施形態と同様に構成したものは同一の符号、或いは符号が異なっても同一の部材名を付して説明を省略する。図３（ａ）は、本実施形態のプラスチック容器蓋１の構成を示す平面図である。（ｂ）は、本実施形態のプラスチック容器蓋１の構成を示す断面図である。前記第１実施形態では、天板１ｃに設けた切断線１ｇの両端部１ｇ１，１ｇ２の間のカットしない部分をヒンジ部１ｈとしていた。本実施形態では、図３に示すように、天板１ｃに設けた切断線１ｇの両端部１ｇ１，１ｇ２の間に天板１ｃの一部と押し下げ片１ｆとを連結する断面Ｕ字形状で可撓性を有するヒンジ部１ｎを設けたものである。ヒンジ部１ｎは、天板１ｃに切断線１ｇを設けた後からプレス加工により作成することができる。これにより押し下げ片１ｆが更に押し下げ易い。他の構成は前記第１実施形態と同様に構成され、同様の効果を得ることが出来る。
【００２２】
尚、プラスチック容器蓋１が使用できる容器２は、プラスチック製の容器２以外にも紙容器であっても良い。
【産業上の利用可能性】
【００２３】
本発明の活用例として、コンビニエンスストア等の店頭で容器内に内容物を収容した状態で容器の開口部を被覆する容器蓋として利用できる。
【符号の説明】
【００２４】
Ｗ１…押し下げ片１ｆの外周縁１ｄに沿った幅
Ｗ２…ヒンジ部１ｈの幅
１…容器蓋
１ａ…リング状凹溝
１ａ１…係合突起
１ｂ…リング状立上部
１ｃ…天板
１ｃ１…天面
１ｃ２…凹面
１ｃ３…中央部
１ｄ…外周縁
１ｅ…飲み口
１ｆ…押し下げ片
１ｇ…切断線
１ｇ１，１ｇ２…切断線１ｇの両端部
１ｈ…ヒンジ部
１ｊ…凹部
１ｊ１…底面
１ｋ…突起部
１ｍ…第２の凹部
１ｍ１…底面
１ｍ２…圧力調整孔
１ｎ…ヒンジ部
２…容器
２ａ…上縁
３…上唇
４…鼻
【図１】
2020037427.tif 000003
【図２】
2020037427.tif 000004
【図３】
2020037427.tif 000005